(57)【要約】【課題】本考案は、導電端子を保護する電気コネクタ組立体を提供することを目的とする。【解決手段】本考案の電気コネクタ組立体は、基部１０と、複数の導電端子と、前記基部１０に保持される保護部材１４とを備える。基部１０は、保持面と、保持面を貫通する複数の端子溝とを含む。導電端子は、基部１０の端子溝に収納され、接触部１２０を有する。保護部材１４は、前記基部１０に寄る内表面及び前記内表面と対向する外表面とを含む本体部と、本体部の内外表面を貫通する複数の保護溝１４００とを有する。前記導電端子の接触部１２０が基部１０の端子溝から突出して保護部材１４の保持溝１４００に対応する。保護部材が基部に向かって押圧されると、導電端子の接触部１２０の接触面が保護部材１４の外表面と実質的に面一になる。【選択図】図７
0003154178.tif 000002
【実用新案登録請求の範囲】
【請求項１】
保持面と、前記保持面を貫通する複数の端子溝とを含む基部と、
前記基部の端子溝に収納され、接触部を有する複数の導電端子と、
前記基部に保持され、前記基部に寄る内表面及び前記内表面と対向する外表面とを含む本体部と、前記本体部の内外表面を貫通する複数の保護溝と、を有する保護部材と、
を備え、前記導電端子の接触部が前記基部の端子溝から突出して前記保護部材の保持溝に位置し、前記保護部材が基部に向かって押圧されると、前記導電端子の接触部が前記保護溝に保持されて前記保護部材の外表面と実質的に面一になることを特徴とする電気コネクタ組立体。
【請求項２】
前記基部には、前記保持面を包囲する複数の側壁が設けられ、
前記保護部材が、前記基部の側壁に支持されていることを特徴とする請求項１に記載の電気コネクタ組立体。
【請求項３】
前記基部の側壁には、複数の収納溝が形成され、
前記保護部材には、前記基部の側壁の収納溝に収納される複数の支持部が設けられていることを特徴とする請求項２に記載の電気コネクタ組立体。
【請求項４】
前記基部の側壁の収納溝が、前記基部の上表面から凹まれ、
前記保護部材の各支持部は、前記本体部と連接する連接部と、前記連接部の両側から基部に向かって延在して前記基部の収納溝に嵌合される一対の弾性ビームと、を備えることを特徴とする請求項３に記載の電気コネクタ組立体。
【請求項５】
前記基部の側壁の外側には外へ突出する突出部が設けられ、
前記収納溝が前記突出部に形成され、
前記保護部材の支持部は、前記本体部から外へ突出する連接部と、連接部の両側から基部に向かって傾斜する一対の弾性ビームと、を含むことを特徴とする請求項３に記載の電気コネクタ組立体。
【請求項６】
前記保護部材の保護溝には、前記保護溝を切欠して前記導電端子の接触部の端部と対応する開口が形成されていることを特徴とする請求項１に記載の電気コネクタ組立体。
【請求項７】
第１、第２保持面と、第１、第２保持面を貫通する複数の端子溝とを含む基部と、
基部の端子溝に収納され、第１、第２接触部を有する複数の導電端子と、
それぞれ前記基部の上、下側に保持される第１、第２保護部材とを備え、各保護部材が、前記基部に寄る内表面及び前記内表面と対向する外表面とを含む本体部と、本体部を貫通する複数の保護溝とを有し、
前記導電端子の第１、第２接触部がそれぞれ、基部の端子溝の上下側から突出して、第１、第２保護部材の保持溝に対応し、第１、第２保護部材が基部に向かって押圧される時、導電端子の第１、第２接触部の接触面が保護部材の外表面と実質的に面一になることを特徴とする電気コネクタ組立体。
【考案の詳細な説明】
【技術分野】
【０００１】
本考案は、ＣＰＵを配線基板に電気接続するＬＧＡ（Ｌａｎｄ  Ｇｒｉｄ  Ａｒｒａｙ）コネクタ組立体に関するものである。
【背景技術】
【０００２】
従来技術のＬＧＡコネクタ（特許文献１）は、上表面を含む絶縁性本体と、絶縁性本体に挿入される複数の導電端子とを備える。各導電端子が接触部を有する。導電端子の接触部が絶縁性本体の上表面から突出してＣＰＵと電気接続する。
【先行技術文献】
【特許文献】
【０００３】
【特許文献１】米国特許第７，０４４，７４６号明細書
【考案の概要】
【考案が解決しようとする課題】
【０００４】
導電端子の接触部が、保護されないので、破損し易い。
【０００５】
そこで本考案は、上述される従来技術の問題に鑑み、導電端子を保護することのできる電気コネクタ組立体を提供することを目的とする。
【課題を解決するための手段】
【０００６】
前記目的を達成するために、本考案の電気コネクタ組立体は、基部と、複数の導電端子と、前記基部に保持される保護部材とを備える。基部は、保持面と、保持面を貫通する複数の端子溝とを含む。導電端子は、基部の端子溝に収納され、接触部を有する。保護部材は、前記基部に寄る内表面及び前記内表面と対向する外表面とを含む本体部と、本体部の内外表面を貫通する複数の保護溝とを有する。前記導電端子の接触部が基部の端子溝から突出して保護部材の保持溝に対応する。保護部材が基部に向かって押圧されると、導電端子の接触部の接触面が保護部材の外表面と実質的に面一になる。
【考案の効果】
【０００７】
従来技術と比べると、本考案は以下の長所を有する。本考案の導電端子の接触部は、保護部材の保護溝に嵌合さることによって保護される。これにより、導電端子の接触部は破損し難い。
【図面の簡単な説明】
【０００８】
【図１】本考案の第１実施形態における電気コネクタ組立体の分解斜視図である。
【図２】図１に示した電気コネクタ組立体の組立図である。
【図３】図１に示した保護部材の斜視図である。
【図４】図２に示した電気コネクタ組立体の俯瞰図である。
【図５】図４において丸で囲まれた部分の拡大図である。
【図６】保護部材がチップモジュールに押圧される前の説明図である。
【図７】保護部材がチップモジュールに押圧された後の説明図である。
【図８】本考案の第２実施形態における電気コネクタ組立体の分解斜視図である。
【図９】図８に示した電気コネクタ組立体の組立図である。
【図１０】図９に標号される部分の拡大図である。
【図１１】保護部材がチップモジュールに押圧される前の説明図である。
【図１２】保護部材がチップモジュールに押圧された後の説明図である。
【図１３】本考案の第３実施形態における電気コネクタ組立体の分解斜視図である。
【図１４】図１３に示した保護部材の斜視図である。
【図１５】本考案の第４実施形態における電気コネクタ組立体の組立斜視図である。
【図１６】図１５に示した電気コネクタ組立体の基部の斜視図である。
【図１７】図１５に示した保護部材の斜視図である。
【図１８】保護部材がチップモジュールに押圧される前の説明図である。
【図１９】保護部材がチップモジュールに押圧された後の説明図である。
【考案を実施するための形態】
【０００９】
図１〜図７を参照すると、本考案の第１実施形態における電気コネクタ組立体１００は、基部１０と、基部１０に挿入される複数の導電端子１２と、基部１０に装着される保護部材１４とを備える。
【００１０】
基部１０には、取付面１００と、前記取付面１００と対向する保持面１０２と、前記保持面１０２と取付面１００とを貫通する複数の端子溝（図示せず）と、を備える。基部１０の周囲には、四つの側壁１０４が設けられている。各側壁１０４には、側壁１０４の上表面から凹まった複数の収納溝１０４０が形成されている。
【００１１】
各導電端子１２は、接触部１２０と、板状の取付部１２２と、を有する。導電端子１２は基部１０の端子溝に収納される。導電端子１２の接触部１２０は、端子溝から離れて基部１０の保持面１０２の上に突出する。導電端子１２の取付部１２２は、端子溝から離れて基部１０の取付面１２２の下に突出して回路基板（図示せず）に半田接続される。
【００１２】
保護部材１４は、本体部１４０と、本体部１４０の各側辺に設けられた複数の支持部１４２とを備える。本体部１４０には、本体部１４０の上下表面を貫通する複数の保護溝１４００が形成されている。各支持部１４２は、Ｌ字状に折曲されて本体部１４０に連接する連接部１４２０と、連接部１４２０の両側から基部１０に向かって延在する一対の弾性ビーム１４２２と、を備える。
【００１３】
導電端子１２を挿入する基部１０に、保護部材１４を装着すると、保護部材１４の支持部１４２が基部１０の収納溝１０４０に収納される。保護部材１４は、弾性ビーム１４２２に支持されることによって、基部１０の上に位置する。図６に示すように、基部１０に挿入される導電端子１２の接触部１２０が、保護部材１４の保護溝１４００に嵌入される。チップモジュール８が保護部材１４の上に配置される。
【００１４】
図７に示すように、チップモジュール８を下向きに押圧すると、保護部材１４がチップモジュール８により下向きに押圧される。導電端子１２の接触部１２０が、保護部材１４の保護溝１４００にて、チップモジュール８の導電片８０と電気接続する。この時、導電端子１２の接触部１２０の上表面と保護部材１４の上表面とが実質的に面一になる。
【００１５】
図８〜図１２に示すように、本考案の第２実施形態における電気コネクタ組立体２００は、基部２０と、基部２０に挿入される複数の導電端子２２と、基部２０に装着される保護部材２４とを備える。
【００１６】
基部２０には、取付面２００と、前記取付面２００と対向する保持面２０２と、前記保持面２０２と取付面２００とを貫通する複数の端子溝２０５と、を備える。基部２０の周囲には、複数の側壁２０４が設けられている。隣接する二つの側壁２０４を連接する部分の外側には、外へ突出した突出部２０４０が設けられている。基部２０の突出部２０４０と側壁２０４との間には、収納溝２０４１が形成されている。
【００１７】
各導電端子２２は、接触部２２０と、板状の取付部２２２とを有する。導電端子２２が基部２０の端子溝２０５に収納される。導電端子２２の接触部２２０は、端子溝２０５から離れて基部２０の保持面２０２より上に突出する。導電端子２２の取付部２２２は、端子溝２０５から離れて基部２０の取付面２２２より下に突出して回路基板（図示せず）に半田接続される。
【００１８】
保護部材２４は、本体部２４０と、本体部２４０の各側辺に設けられた複数の支持部２４２とを備える。本体部２４０には、本体部２４０の上下表面を貫通する複数の保護溝２４００が形成されている。図１０に示すように、各保護溝２４００には、保護溝２４００と貫通する開口２４０２が形成されている。各支持部２４２は、本体部２４０から外へ突出する連接部２４２０と、連接部２４２０の両側から基部２０に向かって傾斜する一対の方柱状の弾性ビーム２４２２とを含む。
【００１９】
図１１に示すように、チップモジュール８を下向きに押圧する時、保護部材２４がチップモジュール８に下向きに押圧される。導電端子２２の接触部２２０は、保護部材２４の保護溝２４００にて、チップモジュール８の導電片８０と電気接続する。この時、導電端子２２の接触部２２０の上表面と保護部材２４の上表面とは、実質的に面一になる。
【００２０】
図１３〜図１４に示すように、本考案の第３実施形態における電気コネクタ組立体３００は、基部３０と、基部３０に挿入される複数の導電端子３２と、基部３０に装着される保護部材３４とを備える。
【００２１】
基部３０には、取付面３００と、前記取付面３００と対向する保持面３０２と、前記保持面３０２と取付面３００とを貫通する複数の端子溝３０５と、を備える。基部３０の周囲には、四つの側壁３０４が設けられている。直交する二つの側壁３０４を連接する部分の外側には、収納溝３０４１を含む突出部３０４０が設けられている。
【００２２】
各導電端子３２は、弾性を有する接触部３２０と、板状の取付部３２２と、を有する。導電端子３２が基部３０の端子溝３０５に収納される。導電端子３２の接触部３２０は、端子溝３０５から離れて基部３０の保持面３０２より上に突出する。導電端子３２の取付部３２２は、端子溝３０５から離れて基部３０の取付面３２２より下に突出して回路基板（図示せず）に半田接続される。
【００２３】
保護部材３４は、本体部３４０と、本体部３４０の各側辺に設けられた複数の支持部３４２と、を備える。本体部３４０には、本体部３４０の上下表面を貫通する複数の保護溝３４００が形成されている。各支持部３４２は、本体部３４０から外へ突出する連接部３４２０と、連接部３４２０の両側から基部３０に向かって傾斜する一対の円柱状の弾性ビーム３４２２と、を含む。
【００２４】
チップモジュール８を下向きに押圧すると、保護部材３４がチップモジュール８により下向きに押圧される。導電端子３２の接触部３２０は、保護部材３４の保護溝３４００にて、チップモジュール８の導電片８０と電気接続する。この時、導電端子３２の接触部３２０の上表面と保護部材３４の上表面とは、実質的に面一になる。
【００２５】
図１５〜図１９に示すように、本考案の第４実施形態における電気コネクタ組立体４００は、基部４０と、基部４０に挿入される複数の導電端子４２と、基部４０に回転可能に装着される保護部材４４とを備える。
【００２６】
基部４０には、第１保持面４０２と、前記第１保持面４０２に対向する第２保持面４００と、前記第１保持面４０２と第２保持面４００とを貫通する複数の端子溝４０５と、を備える。基部４０の周囲には、四つの側壁４０４が設けられている。各側壁４０４には、複数の収納溝４０４０が形成されている。
【００２７】
各導電端子４２は、第１接触部４２０と、第２接触部４２２とを有する。導電端子４２は、基部４０の端子溝に収納されている。導電端子４２の第１接触部４２０は、端子溝から離れて基部４０の保持面４０２より上に突出する。導電端子４２の第２接触部４２２は、端子溝から離れて基部４０の第２保持面４００より下に突出する。
【００２８】
保護部材４４は、本体部４４０と、本体部４４０の各側辺に設けられた複数の支持部４４２とを備える。本体部４４０には、本体部４４０の上下表面を貫通する複数の保護溝４４００が形成されている。各支持部４４２は、Ｌ字状に折曲されて本体部４４０と連接する連接部４４２０と、連接部４４２０の両側から基部４０に向かって延在する一対の弾性ビーム４４２２と、を備える。
【００２９】
二つの保護部材４４が、導電端子４２を挿入する基部４０の上側、下側に装着される。保護部材４４の支持部４４２が、基部４０の収納溝４０４０に収納される。保護部材４４は、弾性ビーム４４２２の支持によって、基部４０の上下側に位置する。図１８に示すように、基部４０に挿入される導電端子４２の第１接触部４２０、第２接触部４２２がそれぞれ、二つの保護部材４４の保護溝４４００に嵌入される。
【００３０】
図１９に示すように、チップモジュール８及び他チップモジュール９はそれぞれ、二つの保護部材４４の上側、下側に装着されている。チップモジュール８及び他チップモジュール９を、それぞれ下向きに、上向きに押圧すると、保護部材４４がチップモジュール８により押圧されることによって、基部４０に向かって移動する。導電端子４２の第１接触部４２０は、保護部材４４の保護溝４４００にて、チップモジュール８の導電片８０と電気接続する。この時、導電端子４２の接触部４２０の上表面と保護部材４４の上表面とは、実質的に面一になる。導電端子４２の第２接触部４２２は、他の保護部材４４の保護溝４４００にて、他チップモジュール９の導電片９０と電気接続する。この時、導電端子４２の第２接触部４２２の上表面と他の保護部材４４の下表面とは、実質的に面一になる。
【００３１】
他の実施形態において、チップモジュール８、９は、他の装置でもよい。
【００３２】
保護部材１４〜４４は、金属材料によって製造される。同時に、保護溝１４００〜４４００の周囲に樹脂材料が塗布される。或いは、保護部材１４〜４４の本体部１４０〜４４０と支持部１４２〜４４２とは樹脂材料によって製造される。或いは、保護部材１４〜４４の本体部１４０〜４４０が樹脂材料によって製造され、支持部１４２〜４４２が金属材料によって製造される。
【００３３】
導電端子１２〜４２の接触部１２０〜４２０は、保護部材１４〜４４の保護溝１４００〜４４００に嵌合されることによって保護される。
【００３４】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００３５】
１  電気コネクタ組立体
１０  基部
１００  取付面
１０２  保持面
１０４  側壁
１０４０  収納溝
１２  導電端子
１２０  接触部
１２２  取付部
１４  保護部材
１４０  本体部
１４００  保護溝
１４２  支持部
１４２０  連接部
１４２２  弾性ビーム
２  電気コネクタ組立体
２０  基部
２００  取付面
２０２  保持面
２０４  側壁
２０４０  突出部
２０４１  収納溝
２０５  端子溝
２２  導電端子
２２０  接触部
２４  保護部材
２４０  本体部
２４００  保護溝
２４０２  開口
２４２  支持部
２４２０  連接部
２４２２  弾性ビーム
３  電気コネクタ組立体
３０  基部
３００  取付面
３０２  保持面
３０４  側壁
３０４０  収納溝
３２  導電端子
３２０  接触部
３２２  取付部
３４  保護部材
３４０  本体部
３４００  保護溝
３４２  支持部
３４２０  連接部
３４２２  弾性ビーム
４  電気コネクタ組立体
４０  基部
４００  取付面
４０２  保持面
４０４  側壁
４０４０  収納溝
４２  導電端子
４２０  接触部
４２２  取付部
４４  保護部材
４４０  本体部
４４００  保護溝
４４２  支持部
４４２０  連接部
４４２２  弾性ビーム
８  チップモジュール
８０  導電片
９  他チップモジュール
９０  導電片
【図１】
0003154178.tif 000003
【図２】
0003154178.tif 000004
【図３】
0003154178.tif 000005
【図４】
0003154178.tif 000006
【図５】
0003154178.tif 000007
【図６】
0003154178.tif 000008
【図７】
0003154178.tif 000009
【図８】
0003154178.tif 000010
【図９】
0003154178.tif 000011
【図１０】
0003154178.tif 000012
【図１１】
0003154178.tif 000013
【図１２】
0003154178.tif 000014
【図１３】
0003154178.tif 000015
【図１４】
0003154178.tif 000016
【図１５】
0003154178.tif 000017
【図１６】
0003154178.tif 000018
【図１７】
0003154178.tif 000019
【図１８】
0003154178.tif 000020
【図１９】
0003154178.tif 000021